(57)【特許請求の範囲】
【請求項１】
予め定められた所定のビデオ方式に対して、変換後のビデオ方式をユーザに選択設定させるための設定手段、再生開始時において、装着されているディスクに記憶されている映像信号のビデオ方式を判定する判定手段、および判定手段によって判定されたビデオ方式に対して、変換後のビデオ方式が設定されている場合には、当該ディスクから再生された映像信号を、設定されている変換後のビデオ信号に変換して出力する映像変換手段を備えているＤＶＤ再生装置であって、
ユーザが設定手段を利用して上記所定のビデオ方式に対する変換後のビデオ方式を設定した場合に、その設定内容とともに設定手段によって上記所定のビデオ方式に対する変換後のビデオ方式が設定されたことを不揮発性メモリに記憶する手段、
上記所定のビデオ方式の映像信号が記録されたディスクが再生装置に装着されたときに、上記不揮発性メモリの内容に基づいて、設定手段によって上記所定のビデオ方式に対する変換後のビデオ方式が設定されているか否かを判定する手段、ならびに
設定手段によって上記所定のビデオ方式に対する変換後のビデオ方式が設定されていないときには、上記所定のビデオ方式に対する変換後のビデオ方式をユーザに選択設定させるための設定画面を表示させる手段、
を備えていることを特徴とするＤＶＤ再生装置。
【発明の詳細な説明】
【０００１】
【発明の属する技術分野】
この発明は、ＤＶＤ再生装置に関する。
【０００２】
【従来の技術】
さて、近年急速に普及したＤＶＤ（Digital Versatile Disc) −Ｖｉｄｅｏ（以下、ＤＶＤと省略する）においても、２つのＴＶカラー方式（ＮＴＳＣあるいはＰＡＬ）の何れかの映像信号を記録することができる。ＤＶＤを再生する場合、ＴＶカラー方式が異なるＴＶでは再生することができないため、それぞれの地域（国）で放送されるＴＶカラー方式に応じたプレーヤ及びソフト（ディスク）が販売され普及している。
【０００３】
ただし、ＰＡＬ地域においては、ＮＴＳＣ及びＰＡＬの両方の方式に対応したＤＶＤプレーヤが普及している。これは、例えばヨーロッパではＰＡＬ５０（純ＰＡＬ）のみならず、ＰＡＬ６０（ＮＴＳＣ信号のカラー方式のみをＰＡＬフォーマットに変換した疑似ＰＡＬ信号）を映し出すこともできるマルチタイプのＴＶが普及していることによる。具体的には次のような機能を有するＤＶＤプレーヤが商品化されている。
【０００４】
（１）ＮＴＳＣディスクが再生されたときはＮＴＳＣ信号を出力し、ＰＡＬディスクが再生されたときにはＰＡＬ信号を出力する機能を備えたＤＶＤプレーヤ。
【０００５】
（２）ビデオ出力端子の横にＮＴＳＣ／ＰＡＬの切り替えスイッチがあり、どちらの方式のディスクを再生する際にも、切り替えスイッチによって選択された方式で出力する機能を備えたＤＶＤプレーヤ。
【０００６】
上記（１）のＤＶＤプレーヤでは、ＰＡＬあるいはＮＴＳＣしか映せないＴＶを接続していた場合には、ＰＡＬあるいはＮＴＳＣのうちの一方のディスクの映像しか見ることができない。また、視聴することができない方のディスクがＤＶＤプレーヤによって再生された場合には、再生開始時にそれまで正常に表示されていたオープニング画面から急に画面が乱れることになり、使用者が機器が故障していると勘違いするおそれがある。
【０００７】
上記（２）のＤＶＤプレーヤでは、切り替えスイッチはＮＴＳＣ／ＰＡＬのいずれか一方を必ず選択するようになっているため、ユーザが意図的に切り替えスイッチの切り替えを行なっていなくても、ユーザはそのことに気がつかないという問題がある。
【０００８】
【発明が解決しようとする課題】
この発明は、予め定められた所定のビデオ方式に対する変換後のビデオ方式の設定を必ずユーザの意思を持って行なうようになり、ユーザがその設定を忘れるといったことを防止できるＤＶＤ再生装置を提供することを目的とする。
【０００９】
【課題を解決するための手段】
この発明は、予め定められた所定のビデオ方式に対して、変換後のビデオ方式をユーザに選択設定させるための設定手段、再生開始時において、装着されているディスクに記憶されている映像信号のビデオ方式を判定する判定手段、および判定手段によって判定されたビデオ方式に対して、変換後のビデオ方式が設定されている場合には、当該ディスクから再生された映像信号を、設定されている変換後のビデオ信号に変換して出力する映像変換手段を備えているＤＶＤ再生装置であって、ユーザが設定手段を利用して上記所定のビデオ方式に対する変換後のビデオ方式を設定した場合に、その設定内容とともに、設定手段によって上記所定のビデオ方式に対する変換後のビデオ方式が設定されたことを不揮発性メモリに記憶する手段、上記所定のビデオ方式の映像信号が記録されたディスクが再生装置に装着されたときに、上記不揮発性メモリの内容に基づいて、設定手段によって上記所定のビデオ方式に対する変換後のビデオ方式が設定されているか否かを判定する手段、ならびに設定手段によって上記所定のビデオ方式に対する変換後のビデオ方式が設定されていないときには、上記所定のビデオ方式に対する変換後のビデオ方式をユーザに選択設定させるための設定画面を表示させる手段を備えていることを特徴とする。
【００１０】
【発明の実施の形態】
以下、図面を参照して、この発明の実施の形態について説明する。
【００１１】
図１は、欧州向けのＤＶＤ再生装置の概略構成を示している。
【００１２】
２はＤＶＤディスク１よりピット信号を読みとるＤＶＤ用レーザーピックアップである。６はこのレーザーピックアップ２より読み出した信号を増幅する再生ＲＦアンプである。７は再生ＲＦアンプ６の出力信号から誤り訂正等の処理を行い、圧縮されているデジタル映像信号及びデジタル音声信号を伸長するＭＰＥＧ回路である。２１は、映像変換回路であり、この例では、ＮＴＳＣ信号をＰＡＬ５０の映像信号に変換する機能およびＮＴＳＣ信号をＰＡＬ６０の映像信号に変換する機能を備えている。
【００１３】
８は映像デジタル信号をアナログ信号に変換するビデオＤ／Ａ変換回路であり、９は音声デジタル信号をアナログ信号に変換するオーディオＤ／Ａ変換回路である。１０は映像信号を出力するビデオ出力端子であり、１１は音声信号を出力するオーディオ出力端子である。
【００１４】
４はスピンドルモータであり、３はスレッドモータである。５はスピンドルモータ４およびスレッドモータ３を制御するモータコントロール回路である。１２は制御回路である。制御回路１２は、モータコントロール回路５を制御するとともに再生ＲＦアンプ６からの再生信号に基づいてサーボ制御を行う。
【００１５】
さらに、制御回路１２は、メカスイッチ入力端子１４とキー入力端子１５からの情報に基づいてメカニズム等の制御とシステム全体の制御を行うとともに、表示装置１３を制御する。なお、制御回路１２はマイクロコンピュータを用いたシステムコントローラによって構成されている。なお、キー入力端子１５には、リモコンからのキー信号（リモコン信号）およびＤＶＤ再生装置本体の操作部からのキー信号が入力される。
【００１６】
ディスク１を再生する場合には、レーザーピックアップ２を発光させ、ディスク１の反射面にて焦点を結ばせ、ディスク面にてフォーカスをかける。さらにスピンドルモータ４を回転させ、スピンドルサーボ、トラッキングサーボおよびスレッドサーボをかける。そしてレーザーピックアップ２によってディスク１から記録信号を読み取る。
【００１７】
読み取られた信号は、再生ＲＦアンプ６を介してＭＰＥＧ回路７へ送られ、誤り訂正、デジタル伸長等の処理が行なわれる。ＭＰＥＧ回路７によって得られた映像信号は、映像変換回路２１に送られ、必要であれば、映像変換処理が行なわれる。ＭＰＥＧ回路７によって得られた映像信号または映像変換回路２１によって映像変換処理が行なわれた映像信号は、ビデオＤ／Ａ変換回路８によってアナログ信号に変換された後、ビデオ出力端子１０に送られる。ＭＰＥＧ回路７によって得られた音声信号は、オーディオＤ／Ａ変換回路９によってアナログ信号に変換された後、オーディオ出力端子１１に送られる。
【００１８】
不揮発性メモリ１６には、機器に必要な情報、たとえば、視聴者が選択する言語情報（音声、字幕など）、画像機器や音響機器に出力する画面選択情報（１６：９、ＰＳ（パンスキャン）、ＬＢ（レターボックス）など）および音声選択情報(DOLBY DIGIRAL、DTS 、デジタル出力など）、視聴制限情報（PARENTALなど）等が記憶される。また、不揮発性メモリ１６には、ピクチャー・モード、プログラム情報、ブックマーク情報、ラストメモリ情報、記憶日時、ディスク固有の判別情報等も書き込まれる。
【００１９】
このＤＶＤ再生装置は、欧州用である。したがって、このＤＶＤ再生装置に接続されるＴＶ等の表示装置は、少なくともＰＡＬ５０の映像信号を表示する機能を備えているものとする。
【００２０】
このＤＶＤ再生装置では、ＰＡＬディスクが装着された場合にはＰＡＬ５０で再生し、ＮＴＳＣディスクが装着された場合には、ユーザの使用環境（ＴＶ）に応じてビデオ信号出力をＰＡＬ５０、ＰＡＬ６０、ＮＴＳＣの中から選択できるようになっている。
【００２１】
図２は、ＤＶＤ再生装置の再生時の動作を示している。図２はＤＶＤがユーザによって装着され、機器がＤＶＤの各種情報ファイルを読み取った後の処理を示している。
【００２２】
この処理において用いられるフラグと変数とについて説明しておく。フラグとしては、フラグslct＿flg が用いられている。上述したように、このＤＶＤ再生装置では、ＮＴＳＣディスクが装着された場合には、ユーザの使用環境（ＴＶ）に応じてビデオ信号出力をＰＡＬ５０、ＰＡＬ６０、ＮＴＳＣの中から選択できるようになっている。この選択設定がユーザによって行なわれた場合には、フラグslct＿flg はセット（slct＿flg ＝１）される。なお、フラグslct＿flg はデフォルトではリセット（slct＿flg ＝０）されている。
【００２３】
変数としては、 v＿typeが用いられている。ＮＴＳＣディスクが装着された場合に、ビデオ信号出力としてＰＡＬ５０をユーザが選択した場合には、 v＿type＝０となり、ビデオ信号出力としてＰＡＬ６０をユーザが選択した場合には、 v＿type＝１となり、ビデオ信号出力としてＮＴＳＣをユーザが選択した場合には、 v＿type＝２となる。フラグslct＿flg および変数 v＿typeは、不揮発性メモリ１６に保持される。
【００２４】
ＤＶＤがユーザによって装着され、機器がＤＶＤの各種情報ファイルを読み取られると、装着されたＤＶＤがＮＴＳＣディスクかＰＡＬディスクかを判断する（ステップ１）。装着されたＤＶＤがＰＡＬディスクの場合は、制御回路１２は、映像変換装置２１に対して、スルー指令を出力する（ステップ１３）。これにより、映像変換装置２１は、入力されたＰＡＬ５０信号をそのまま出力する。
【００２５】
装着されたＤＶＤがＮＴＳＣディスクの場合には、フラグslct＿flg がセットされているか（slct＿flg ＝１）否かを判定する（ステップ２）。フラグslct＿flg がセットされていない場合には、つまり、選択設定がユーザによって未だ行なわれていない場合には、フラグslct＿flg をセット（slct＿flg ＝１）した後（ステップ３）、ユーザに選択設定のための設定画面を表示させる（ステップ４）。この設定画面の例を図３に示す。図３の例のように、各信号出力を選んだときのデメリットも説明し注意を促すようにすることが好ましい。
【００２６】
ユーザは、この表示メッセージに基づいて、リモコン等により、ビデオ信号出力をＰＡＬ５０、ＰＡＬ６０、ＮＴＳＣから選択する（ステップ５）。ビデオ信号出力としてＰＡＬ５０が選択された場合には、変数 v＿typeの値が０にされる（ステップ６）。ビデオ信号出力としてＰＡＬ６０が選択された場合には、変数 v＿typeの値が１にされる（ステップ７）。ビデオ信号出力としてＮＴＳＣが選択された場合には、変数 v＿typeの値が２にされる（ステップ８）。
【００２７】
このようにして、変数 v＿typeの値が、ユーザによって選択された映像信号の種類に対応した値にセットされると、変数 v＿typeの値に応じた、映像信号が出力される（ステップ９、１０、１１、１２）。
【００２８】
つまり、変数 v＿type＝０であれば（ステップ９）、制御回路１２は、映像変換装置２１に対して、ＰＡＬ５０の信号を出力するように指示する（ステップ１０）。これにより、映像変換装置２１は、入力されたＮＴＳＣ信号をＰＡＬ５０信号に変換する。
【００２９】
変数 v＿type＝１であれば（ステップ９）、制御回路１２は、映像変換装置２１に対して、ＰＡＬ６０の信号を出力するように指示する（ステップ１１）。これにより、映像変換装置２１は、入力されたＮＴＳＣ信号をＰＡＬ６０信号に変換する。
【００３０】
変数 v＿type＝２であれば（ステップ９）、制御回路１２は、映像変換装置２１に対して、スルー指令を出力する（ステップ１２）。これにより、映像変換装置２１に入力されたＮＴＳＣ信号は、そのまま出力される。
【００３１】
以上のような処理により、ＮＴＳＣディスクが初めて装着されたときに選択が求められ、以後ＮＴＳＣディスク再生時は選択された方式のビデオ信号が出力される。ただし、この機能だけではＮＴＳＣディスクに対する出力信号の選択の変更ができないので、次のようにしてＮＴＳＣディスクに対する出力信号を変更（設定）できるようにしている。
【００３２】
図４は、ＮＴＳＣディスクに対する出力信号の変更処理手順を示している。
【００３３】
一般的なセットアップ機能（ＴＶ画面にセットアップメニューを表示し、音声、画面、言語などの各種設定を行う機能）において、ユーザが、ＮＴＳＣディスクに対する出力信号を設定（変更）するための項目を選択すると（ステップ２１）、フラグslct＿flg をセット（slct＿flg ＝１）した後（ステップ２２）、ユーザに選択設定のための選択画面を表示させる（ステップ２３）。この設定画面の例を図５に示す。図５の例のように、各信号出力を選んだときのデメリットも説明し注意を促すようにすることが好ましい。
【００３４】
ユーザは、この表示メッセージに基づいて、リモコン等により、ビデオ信号出力をＰＡＬ５０、ＰＡＬ６０、ＮＴＳＣから選択する（ステップ２４）。ビデオ信号出力としてＰＡＬ５０が選択された場合には、変数 v＿typeの値が０にされる（ステップ２５）。ビデオ信号出力としてＰＡＬ６０が選択された場合には、変数 v＿typeの値が１にされる（ステップ２６）。ビデオ信号出力としてＮＴＳＣが選択された場合には、変数 v＿typeの値が２にされる（ステップ２７）。
【００３５】
このようにして、変数 v＿typeの値が、ユーザによって選択された映像信号の種類に対応した値にセットされると、この処理を終了する。
【００３６】
【発明の効果】
この発明によれば、予め定められた所定のビデオ方式に対する変換後のビデオ方式の設定を必ずユーザの意思を持って行なうようになり、ユーザがその設定を忘れるといったことを防止できるようになる。
【図面の簡単な説明】
【図１】ＤＶＤ再生装置の概略構成を示すブロック図である。
【図２】ＤＶＤ再生装置の再生時の動作を示すフローチャートである。
【図３】ＤＶＤ再生装置の再生時において、装着されたＤＶＤがＮＴＳＣディスクであり、かつ選択設定がユーザによって未だ行なわれていない場合に表示される設定画面の例を示す模式図である。
【図４】ＮＴＳＣディスクに対する出力信号の変更処理手順を示すフローチャートである。
【図５】ＮＴＳＣディスクに対する出力信号の変更処理において、表示される設定画面の例を示す模式図である。
【符号の説明】
１  ＤＶＤディスク
２  ＤＶＤ用レーザーピックアップ
３  スレッドモータ
４  スピンドルモータ
５  モータコントロール回路
６  ＲＦアンプ
７  ＭＰＥＧ回路
１２  制御回路
１６  不揮発性メモリ
２１  映像変換回路
【図１】
0003796127.tif 000002
【図２】
0003796127.tif 000003
【図３】
0003796127.tif 000004
【図４】
0003796127.tif 000005
【図５】
0003796127.tif 000006